(57)【要約】【課題】  本考案は電気コネクタに関し、特にＬＧＡパッケージと回路基板を電気的に接続し、且つ取外装置を有するＬＧＡ電気コネクタを提供する。【解決手段】  本考案の電気コネクタは複数の端子を収容する端子収容空間を有する絶縁本体を備えている。前記複数の導電端子が端子収容空間に収容され、ベース部と、ベース部の一端から延設されたホルダー部と、ホルダー部の末端から垂直に延びるテール部と、ベース部の側縁から延設されたアーム部と、アーム部から一定の角度に延びる曲り部と、曲り部から延びる接触部とを含んでいる。前記接触部が弓形に曲って、接触部の幅が曲り部末端と接触部との接続する部分の幅より広い。【選択図】  図３
0003102802.tif 000002
【実用新案登録請求の範囲】
【請求項１】
複数の端子収容空間が設けられている絶縁本体と、
前記端子収容空間にそれぞれ収容されていて、且つ、少なくともベース部と、ベース部の下端から延びて形成されるホルダー部と、ベース部の側面から延びて形成されるアーム部と、アーム部から一定の角度で延びて形成される曲り部と、曲り部から延設される接触部と、を含んでいる端子と、
を備え、前記接触部の幅が曲り部の末端と接触部との接続する部分の幅より広いことを特徴とする電気コネクタ。
【請求項２】
前記ホルダー部の末端からテール部は垂直に延設されていることを特徴とする請求項１に記載の電気コネクタ。
【請求項３】
前記ホルダー部の対向する二つの側面には複数の絶縁本体と干渉して結合する短小突起が設けられていることを特徴とする請求項１に記載の電気コネクタ。
【請求項４】
前記曲り部の幅はアーム部の末端から曲り部の末端へ減少していることを特徴とする請求項１に記載の電気コネクタ。
【請求項５】
ベース部と、
ベース部の側面から延びて形成されるアーム部と、
アーム部から一定の角度で延びて形成される曲り部と、
曲り部から延設される接触部と、
を備え、前記接触部の幅が曲り部の末端と接触部との接続する部分の幅より広いことを特徴とする電気コネクタの端子。
【請求項６】
前記ベース部の下からホルダー部は延設されていることを特徴とする請求項５に記載の電気コネクタの端子。
【請求項７】
前記ホルダー部の対向する二つの側面には複数の絶縁本体と干渉して結合する短小突起は設けられていることを特徴とする請求項６に記載の電気コネクタの端子。
【請求項８】
前記ホルダー部の末端からテール部は設けられていることを特徴とする請求項６に記載の電気コネクタの端子。
【請求項９】
前記ベース部とアーム部とのなす角度は鈍角であることを特徴とする請求項５に記載の電気コネクタの端子。
【請求項１０】
前記ベース部とアーム部とのなす角度は１４５度に設けられていることを特徴とする請求項５に記載の電気コネクタの端子。
【請求項１１】
前記曲り部の幅がアーム部の末端から曲り部の末端へ減少していることを特徴とする請求項５に記載の電気コネクタの端子。
【考案の詳細な説明】
【技術分野】
【０００１】
本考案は、電気コネクタに関し、特にＬＧＡパッケージを回路基板に電気的に接続するＬＧＡ電気コネクタに関するものである。
【背景技術】
【０００２】
一つの側面には板状の導電体が設けられているＬＧＡパッケージと回路基板を電気的に接続する従来のＬＧＡ電気コネクタは、回路基板に接続される板状絶縁本体を有し、前記絶縁本体の中部には、複数の導電端子を収容している導電区が設けられている。前記の絶縁本体から外側へ突き出す複数の導電端子は良好な弾性を持ち、ほかの部品に絶縁本体へ押し付けられると弾性的に変形し、その弾性力によってＬＧＡパッケージの導電体へ押し付けられ、ＬＧＡパッケージと回路基板を電気的に接続する。
【０００３】
しかし、端子のサイズが縮小するにつれ、特に端子と導電体との接触面の幅が減少した結果、端子の接触部が導電体に接触する確率が減るようになった。したがって、端子定位の正確率を向上させなければならない。また、端子の接触部の導電体に接触する面積が狭すぎるため、製品の機能を確保するために端子定位の正確率と面の傾斜度を調べる場合、測量機器ではその測定点と測定面が実在するかはわかりにくい。図１と図２に示されるように、従来のＬＧＡ端子９’は電気コネクタ絶縁本体３’の端子収容空間５０’に保持されているベース部８’と、該ベース部８’から延びて形成されたテール部７’と、弾性部６’とを含む。前記弾性部６’には曲り部６０’と接触部６２’が形成されている。そして、端子の弾性を確保するために、弾性部６’の曲り部６０’から接触部６２’まで、端子の幅を少しずつ減少するように作成される。前記ＬＧＡ端子９’を電気コネクタの端子収容室５０’に収容すると、接触案内部６２’が電気コネクタの外表面から突き出すようになる。
【０００４】
ＬＧＡパッケージ４’の下表面には導電体が設けられている。ＬＧＡパッケージ４’が電気コネクタに装着された後、電気コネクタ９’の接触部６２’が導電体２０’に接触しているようになる。しかし、端子の幅が弾性部６’の曲り部６０’から接触部６２’まで次第に小さくなるので、端子の接触部６２’の面積は小さすぎるようになる。一旦端子９’の接触部６２’とＬＧＡパッケージ４’の導電体２０’がわずかに変位したら、接触部６２’と導電体２０’との接触が不良になる可能性がある。そこで、端子定位の正確率を向上させる必要がある。それに、測定面積が小さすぎるため、測量機器ではその測定点と測定面が存在するかはわかりにくい。また、電気コネクタ端子９’とＬＧＡパッケージ４’との接触の面積が狭いので、接触点での電気抵抗が増大するようになる。ＬＧＡパッケージと回路基板との接続に影響を与える恐れがある。
【０００５】
そこで、前記従来のＬＧＡ電気コネクタの欠点を改良し、新型の電気コネクタを開発する必要がある。
【考案の開示】
【考案が解決しようとする課題】
【０００６】
本考案は端子の接触部とＬＧＡパッケージの導電体がわずかに変位しても、相変わらず端子と導電体を接続するチャンスを高め、端子定位への要求を緩和し、端子の接触部を測定しやすい電気コネクタを提供する。
【課題を解決するための手段】
【０００７】
本考案はＬＧＡパッケージの電気コネクタに関する。この電気コネクタは複数の端子収容空間を有する絶縁本体と、複数の導電端子とを備え、前記導電端子はベース部と、ベース部の一端より延びて形成されたホルダー部と、ホルダー部の末端から垂直に延びて形成されたテール部と、ベース部の側縁から延設されたアーム部と、アーム部と一定の角度を持ってアーム部から延びる曲り部と、曲り部から延びて形成された接触部とを含んでいる。接触部は弓形に曲る。接触部の幅が曲り部の末端が接触部に隣接する部分の幅より広い。
【考案を実施するための最良の形態】
【０００８】
図３〜図８を参照して、本考案の電気コネクタ２の導電端子１はＬＧＡパッケージ３を回路基板４に電気的に接続することに用いられ、前記ＬＧＡパッケージ３の一つの面には導電体３０が設けられている。導電端子１はベース部１０と、テール部１２と、弾性部１６とを含んでいる。前記ベース部１０の一端からホルダー部１１が延設され、そして該ホルダー部１１の幅がベース部１０の幅より広い。テール部１２はホルダー部の末端から垂直に延び、半田付けボール５によって回路基板４に半田付けされる。前記弾性部１６はベース部１０の一つの側面１３から曲って延び、且つ、アーム部１６０を含んでいる。該アーム部１６０とベース部１０は角aを持ち、そして１４５度という角度は最適である。ホルダー部１１の二つの側面１３には複数の短小突起１４が設けられており、電気コネクタ２の導電端子１を電気コネクタ２の絶縁本体２２の端子収容空間２４に固定させる。
【０００９】
該弾性部１６はアーム部１６０と、曲り部１８と、接触部１９とを含んでいる。該曲り部１８はアーム部１６０の上方よりベース部から遠く離れる方向へ延び、その幅がアーム部１６０の末端から頂部へ減少している（図４参照）。曲り部１８の末端より弓状の接触部１９が延設されている。前記接触部１９の横断面の横幅Ａが、曲り部１８の末端の幅Ｂより広い。曲り部１８は良好な弾性力を提供するように、狭い幅で作成されている。ＬＧＡパッケージ３の導電体３０が対向する接触部１９に押し付けると、前記接触部１９とＬＧＡパッケージ３の導電体３０との電気的な接続が達成される。接触部１９の横断面の幅が広いので、接触部１９と導電体３０とが正確な位置に接続できなくとも、接触部１９の横断面の大部分は依然として導電体３０に接触できる。また、接触部１９の接触面積が大きいので、端子を測る場合、測量装置で接触部１９の写真が撮りやすい。
【００１０】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【図面の簡単な説明】
【００１１】
【図１】従来の電気コネクタの導電端子の立体図である。
【図２】従来の電気コネクタの導電端子がＬＧＡパッケージに電気的に接触する前の状態を示す断面図である。
【図３】本考案の電気コネクタの導電端子の立体図である。
【図４】図３の電気コネクタの導電端子のほかの角度から見た立体図である。
【図５】図３の電気コネクタの導電端子の正面図である。
【図６】図３の電気コネクタの導電端子の右側面図である。
【図７】図３の電気コネクタの導電端子の平面図である。
【図８】電気コネクタの導電端子がＬＧＡパッケージに接続する前の状態を示す断面図である。
【図９】電気コネクタの導電端子がＬＧＡパッケージに接続した後の状態を示す断面図である。
【符号の説明】
【００１２】
１  導電端子
２  電気コネクタ
３  ＬＧＡパッケージ
４  回路基板
５  半田付けボール
１０  ベース部
１１  ホルダー部
１２  テール部
１３  側面
１４  短小突起
１６  弾性部
１８  曲り部
１９  接触部
２２  絶縁本体
２４  端子収容空間
１６０  アーム部
【図１】
0003102802.tif 000003
【図２】
0003102802.tif 000004
【図３】
0003102802.tif 000005
【図４】
0003102802.tif 000006
【図５】
0003102802.tif 000007
【図６】
0003102802.tif 000008
【図７】
0003102802.tif 000009
【図８】
0003102802.tif 000010
【図９】
0003102802.tif 000011